(57)【要約】      （修正有）【課題】アース線を容易に配線できるコンクリートポールを提供する。【解決手段】下端部にフランジ６を設けた上ポール２と、上端部にフランジ８を設けた下ポール３とを、フランジを介して固定ボルトで固定してコンクリートポール１を構成する。フランジにアース線４を挿通可能な挿通孔１４，１９や挿通切り欠きを設ける。そして、アース線の一部が外部に露出した状態で上ポール側から下ポール側へ外周面に沿って配設されるように、挿通孔や挿通切り欠きに挿通して、アース線を配線する。【選択図】図１
0003196083.tif 000002
【実用新案登録請求の範囲】
【請求項１】
下端部にフランジが設けられた上ポールと、この上ポールの下側に配置され上端部にフランジが設けられた下ポールとを備え、前記上ポールと前記下ポールとが前記フランジを介して固定ボルトで固定されるコンクリートポールであって、
アース線の一部が外部に露出した状態で前記上ポールの外周面および前記下ポールの外周面に沿って配設され、
前記フランジは、前記上ポール側から前記下ポール側へ前記アース線を挿通可能な挿通部を有する
ことを特徴とするコンクリートポール。
【請求項２】
挿通部は、フランジの上面側から下面側へ貫通した挿通孔または挿通切り欠きである
ことを特徴とする請求項１記載のコンクリートポール。
【請求項３】
挿通部には、アース線と挿通部との接触による前記アース線の破損を防止するための保護部材が取り付けられている
ことを特徴とする請求項１または２記載のコンクリートポール。
【考案の詳細な説明】
【技術分野】
【０００１】
本考案は、下端部にフランジが設けられた上ポールと、この上ポールの下側に配置され上端部にフランジが設けられた下ポールとを備え、前記上ポールと前記下ポールとが前記フランジを介して固定ボルトで固定されるコンクリートポールに関する。
【背景技術】
【０００２】
コンクリートポールは、電力、通信および鉄道等の分野にて電線を支持する構造物として広く用いられている。
【０００３】
このようなコンクリートポールにおいて、運搬性や狭隘な場所での施工性を考慮して、上ポールと、この上ポールの下側に配置される下ポールとが、施工現場でフランジを介してボルトで固定されて設置される連結式の構成が知られている（例えば、特許文献１参照。）。
【先行技術文献】
【特許文献】
【０００４】
【特許文献１】特開２００８−１０１３２５号公報
【考案の概要】
【考案が解決しようとする課題】
【０００５】
上述の特許文献１のような連結式のコンクリートポールにおいてアース線を配線するには、上ポールの上端部から上ポールの内部に配設されたアース線が、上ポールの中間部分にて内部の空洞部分から上ポールの外部へ露出され、上ポールの外周面の一部から下ポールの外周面の一部にわたって配設され、下ポールの中間部分にて内部へ挿入されて地面に接地される。
【０００６】
そして、上ポールと下ポールとの連結部分、すなわち、フランジが設けられた部分では、アース線をフランジの外形に沿って折り曲げ加工する必要がある。
【０００７】
また、アース線の折り曲げ加工した箇所ができるだけフランジに密着した状態を保持するために、折り曲げ加工した箇所のやや上方およびやや下方を固定バンドにてコンクリートポールに固定する必要がある。
【０００８】
したがって、連結式のコンクリートポールでは、上ポールと下ポールとの連結部分におけるアース線の配線作業が煩雑であり、アース線を容易に配線できるコンクリートポールが求められていた。
【０００９】
本考案はこのような点に鑑みなされたもので、アース線を容易に配線できるコンクリートポールを提供することを目的とする。
【課題を解決するための手段】
【００１０】
請求項１記載のコンクリートポールは、下端部にフランジが設けられた上ポールと、この上ポールの下側に配置され上端部にフランジが設けられた下ポールとを備え、前記上ポールと前記下ポールとが前記フランジを介して固定ボルトで固定されるコンクリートポールであって、アース線の一部が外部に露出した状態で前記上ポールの外周面および前記下ポールの外周面に沿って配設され、前記フランジは、前記上ポール側から前記下ポール側へ前記アース線を挿通可能な挿通部を有するものである。
【００１１】
請求項２記載のコンクリートポールは、請求項１記載のコンクリートポールにおいて、挿通部は、フランジの上面側から下面側へ貫通した挿通孔または挿通切り欠きであるものである。
【００１２】
請求項３記載のコンクリートポールは、請求項１または２記載のコンクリートポールにおいて、挿通部には、アース線と挿通部との接触による前記アース線の破損を防止するための保護部材が取り付けられているものである。
【考案の効果】
【００１３】
本考案によれば、フランジが上面側から下面側へアース線を挿通可能な挿通部を有するため、アース線を容易に配線できる
【図面の簡単な説明】
【００１４】
【図１】本考案の一実施の形態に係るコンクリートポールの側面図である。
【図２】同上コンクリートポールの平面図である。
【図３】同上コンクリートポールにおける保護部材を示す側面図である。
【考案を実施するための形態】
【００１５】
本考案の一実施の形態を図面を参照して説明する。
【００１６】
図１および図２に示すように、コンクリート電柱等として利用されるコンクリートポール１は、プレストレストコンクリート製で略円筒状の上ポール２の下側に、プレストレストコンクリート製で略円筒状の下ポール３が連結されて構成されている。
【００１７】
また、コンクリートポール１には、落雷の際に雷を地面へ逃がすためのアース線４が、このアース線４の一部がコンクリートポール１の外部に露出した状態で上ポール２の外周面および下ポール３の外周面に沿って配設されて配線されている。
【００１８】
上ポール２は、内部が空洞である上ポール本体５の下端部に、所定の突出幅で突出したフランジ６が上ポール本体５の周方向に沿って連続して設けられている。
【００１９】
また、上ポール本体５には、内部の空洞部分から外部へアース線４を引き出すための図示しない貫通孔が設けられている。
【００２０】
下ポール３は、内部が空洞である下ポール本体７の上端部に、所定の突出幅で突出したフランジ８が下ポール本体７の周方向に沿って連続して設けられている。
【００２１】
また、下ポール本体７には、外部から内部の中空部へ貫通しアース線４を挿入可能な貫通孔９が設けられている。
【００２２】
そして、アース線４は、上ポール２の上端部から上ポール本体５内部に配設され、上ポール本体５の貫通孔から上ポール２の外部へ引き出される。また、上ポール２の外部へ引き出されて外部に露出したアース線４は、上ポール２の外周面に沿って下方へ這わせるように上ポール２の外周面から下ポール３の外周面にわたって配設され、下ポール本体７の貫通孔９から下ポール本体７の中空部内へ引き込まれて、地面に接地されている。
【００２３】
ここで、フランジ６には、上ポール２側である上面11側から下ポール３側である下面12側へ貫通し、互いに離間して配置された複数のボルト孔13が設けられている。
【００２４】
また、フランジ６の複数のボルト孔13間のうちの一部には、フランジ６の上ポール２側から下ポール３側へ貫通し、アース線４を挿通可能な挿通部としての挿通孔14および挿通切り欠き15が設けられている。
【００２５】
フランジ８には、上ポール２側である上面16側から下ポール３側である下面17側へ貫通し、フランジ６のボルト孔13の間隔に対応するように互いに離間して配置された複数の図示しないボルト孔が設けられている。
【００２６】
また、フランジ８の複数のボルト孔間のうちの一部には、フランジ６の挿通孔14および挿通切り欠き15の位置に対応するように挿通部としての挿通孔19および図示しない挿通切り欠きが設けられている。
【００２７】
挿通孔14，19は、アース線４よりも大径の円形状の孔であり、コンクリートポール１の施工の際にアース線４を上ポール２側から下ポール３側に挿通可能である。
【００２８】
挿通切り欠き15は、フランジ６，８の端縁部から内側へ向かって切り欠かれて形成されており、アース線４の直径よりも幅寸法が大きく、コンクリートポール１の施工の際にアース線４を上ポール２側から下ポール３側に挿通可能である。
【００２９】
また、挿通切り欠き15が設けられた構成では、フランジ６，８の強度の低下を防止するために、アース線４を配線した後に挿通切り欠き15の開口された端部を覆うようにフランジ６，８の端縁部に図示しない補強部材を設けることが好ましい。
【００３０】
そして、上ポール２と下ポール３とは、ボルト孔13の位置とボルト孔の位置とが対応し、挿通孔14の位置と挿通孔19の位置とが対応し、挿通切り欠き15の位置と挿通切り欠きの位置とが対応した状態で、ボルト孔13およびボルト孔に固定ボルトを挿入し、図示しないナットを締結させることによって、連結された状態で固定される。
【００３１】
また、上ポール２の貫通孔から外部へ引き出されたアース線４を、上ポール２の外周面および下ポール３の外周面に沿って下ポール３の貫通孔９まで配設する際には、アース線４を挿通孔14，19または挿通切り欠き15に挿通させて、上ポール２から下ポール３側へ配線する。すなわち、アース線４は、挿通孔14を通ってフランジ６の上面11側から下面12側へ挿通されるとともに、挿通孔19を通ってフランジ８の上面16側から下面17側へ挿通されるか、または、挿通切り欠き15を通ってフランジ６の上面11側から下面12側へ挿通されるとともに、挿通切り欠きを通ってフランジ８の上面16側から下面17側へ挿通される。
【００３２】
なお、挿通孔14，19および挿通切り欠き15は、アース線４が挿通された状態にて、縁部や内周面にアース線４が接触することによって、アース線４が破損してしまう可能性がある。
【００３３】
そこで、挿通孔14，19や挿通切り欠き15には、図３に示すような略円筒状の保護部材としての保護パイプ21が設置される構成が好ましい。すなわち、挿通孔14，19や挿通切り欠き15は、保護パイプ21が取り付けられた状態で保護パイプ21内にアース線４が挿通される構成が好ましい。
【００３４】
保護パイプ21は、例えばポリエチレン等の可撓性を有し、コンクリートより表面が平坦な素材で形成されている。
【００３５】
また、保護パイプ21は、内部にアース線４を挿通可能な略円筒状の直胴部22と、この直胴部22の上端部から外側へ突出した突出部23と、これら直胴部22および突出部23の周方向の一部に設けられた空洞状の開口部24とを有している。
【００３６】
すなわち、直胴部22および突出部23は、周方向の両縁部が離間して開口部24が形成されており、開口部24へ向かって押圧して両縁部を接近させるように撓ませることで縮径する。
【００３７】
そして、保護パイプ21は、直胴部22を撓ませて縮径させた状態で、挿通孔14，19や挿通切り欠き15内に挿入され、突出部23がフランジ６の上面11やフランジ８の上面16に引っ掛けられて取り付けられる。
【００３８】
次に、上記一実施の形態における作用等を説明する。
【００３９】
コンクリートポール１にアース線４を配線する際には、上ポール本体５の内部を通すように配線し、貫通孔から上ポール本体５の外部へ引き出す。
【００４０】
上ポール２から引き出されたアース線４は、上ポール本体５の外周面に沿って下方へ這わせるように下ポール３側へ配線する。
【００４１】
また、フランジ６，８では、挿通孔14，19にアース線４を挿通して、上ポール２側から下ポール３側へ配線する。すなわち、挿通孔14にアース線４を挿通して、フランジ６の上面11側から下面12側へ配線するとともに、挿通孔19にアース線４を挿通してフランジ８の上面16側から下面17側へ配線し、下ポール本体７の外周面に沿って這わせるように下方へ配線する。
【００４２】
なお、アース線４は、挿通孔14，19ではなく挿通切り欠き15に挿通させて、上ポール２側から下ポール３側へ配線する構成にしてもよい。
【００４３】
下ポール本体７の外周面に沿って這わせるように配線したアース線４は、下ポール本体７の貫通孔９に挿入されて、下ポール本体７の内部を通して配線され、地面に接地される。
【００４４】
そして、上記コンクリートポール１によれば、フランジ６が挿通孔14や挿通切り欠き15を有し、フランジ８が挿通孔19や挿通切り欠きを有するため、アース線４を配線する際に、上ポール２の外周面に沿って這わせるように下方へ配線したアース線４を挿通孔14，19または挿通切り欠き15に挿通して下ポール３側へ配線できる。すなわち、アース線４を、従来のようにフランジ６，８の外形に沿って折り曲げ加工せずに、挿通孔14，19または挿通切り欠き15に挿通するだけで上ポール２から下ポール３にわたって配設できる。したがって、一部がコンクリートポール１から外部に露出するアース線４を容易に配線できる。
【００４５】
また、挿通孔14，19や挿通切り欠き15に保護パイプ21が取り付けられることにより、挿通孔14，19および挿通切り欠き15の内周面や縁部にアース線４が接触することによるアース線４の破損を防止できる。
【００４６】
なお、上記一実施の形態では、フランジ６に挿通孔14および挿通切り欠き15が設けられ、フランジ８に挿通孔19および挿通切り欠きが設けられた構成としたが、このような構成には限定されず、フランジ６，８には、挿通孔14，19および挿通切り欠き15のいずれかのみが設けられた構成にしてもよい。
【００４７】
また、挿通孔14，19および挿通切り欠き15の形状や大きさは適宜選択でき、アース線４を上ポール２側から下ポール３側へ挿通可能な構成であればよい。
【００４８】
保護パイプ21は、アース線４と挿通孔14，19および挿通切り欠き15との接触によるアース線４の破損を防止できる構成であれば、その形状や素材は適宜選択できる。
【００４９】
また、挿通孔14，19および挿通切り欠き15には、保護パイプ21が取り付けられた構成が好ましいが、このような構成には限定されず、保護パイプ21が取り付けられていない構成にしてもよい。
【００５０】
また、挿通孔14，19および挿通切り欠き15に保護パイプ21が取り付けられていない構成では、例えば挿通孔14，19および挿通切り欠き15の縁部を面取り加工することで、アース線４と縁部との接触によるアース線４の破損を防止する構成にしてもよい。
【符号の説明】
【００５１】
１    コンクリートポール
２    上ポール
３    下ポール
４    アース線
６    フランジ
８    フランジ
11    上面
12    下面
14    挿通部としての挿通孔
15    挿通部としての挿通切り欠き
16    上面
17    下面
19    挿通部としての挿通孔
21    保護部材としての保護パイプ
【図１】
0003196083.tif 000003
【図２】
0003196083.tif 000004
【図３】
0003196083.tif 000005